(57)【特許請求の範囲】
【請求項１】
変換前映像データを格納するメモリと、
データを読み書き可能に格納する記憶部と、
前記メモリの前記変換前映像データから再生終了時刻を取得した後、前記変換前映像データを単位映像データごとにストリームデータ変換処理し、ダミーデータを含む疑似管理情報を挿入して変換済映像データを生成して前記記憶部に書き込むとともに、前記変換済映像データの再生時刻情報を示すタイムマップを生成して前記記憶部に書き込んで、書き込まれた前記再生終了時刻と前記タイムマップに基づいて管理情報を生成し、前記変換済映像データの前記疑似管理情報を前記管理情報で上書きする制御部とを有することを特徴とする映像処理装置。
【請求項２】
前記制御部は、前記変換前映像データを外部から読み込んで前記メモリに格納することを特徴とする請求項１に記載の映像処理装置。
【請求項３】
前記制御部は、前記変換済映像データを外部記録媒体に書き込み、書き込み済みの前記変換済映像データを前記記憶部から削除することを特徴とする請求項１に記載の映像処理装置。
【請求項４】
前記管理情報は、前記変換後映像データの再生終了時刻と、前記変換後映像データの前記タイムマップ上のアドレス情報とを含むことを特徴とする請求項１に記載の映像処理装置。
【請求項５】
前記変換済映像データは、ＤＶＤ−Ｖｉｄｅｏフォーマットに準拠し、前記管理情報は、ＮＶ＿ＰＣＫのＶＯＢ＿Ｖ＿Ｅ＿ＰＴＭ、及びＶＯＢＵ＿ＳＲＩを含むことを特徴とする請求項１に記載の映像処理装置。
【請求項６】
変換前映像データの末尾部分から再生終了時刻を取得する終了時刻取得ステップと、
前記変換前映像データを単位映像データごとに順次ストリームデータ変換処理して変換済単位映像データを生成する変換済単位映像データ生成ステップと、
前記変換済単位映像データをダミーデータを含む疑似管理情報を挿入しながら記憶部に書き込むストリームデータ変換処理ステップと、
前記変換済単位映像データの再生時刻情報を示すタイムマップを作成するタイムマップ作成ステップと、
前記終了時刻及び前記タイムマップに基づいて管理情報を生成する管理情報生成ステップと、
前記管理情報で前記記憶部に書き込まれた前記疑似管理情報を上書きする管理情報設定ステップとを有することを特徴とする映像処理方法。
【請求項７】
前記映像処理方法は、
前記記憶部に書き込まれた前記変換済単位映像データと上書きされた前記管理情報とを外部記録媒体に書き込む書込ステップと、
前記外部記録媒体に書き込み済みの前記変換済単位映像データと前記管理情報とを前記記憶部から削除する削除ステップとをさらに有することを特徴とする請求項６に記載の映像処理方法。
【発明の詳細な説明】
【技術分野】
【０００１】
本発明は、映像処理装置及び映像処理方法に関する。
【背景技術】
【０００２】
従来の技術として、記憶部に記録されたＤＶＤ−ＶＲフォーマットに準拠した映像データをＤＶＤ−Ｖｉｄｅｏフォーマットに準拠したＤＶＤにダビングする際に高速にフォーマット変換する映像処理装置がある（例えば、特許文献１参照）。
【０００３】
この映像処理装置は、記憶部に映像データを記録する際に、ＤＶＤ−ＶＲフォーマットに準拠して形成した映像データのＲＤＩ＿ＰＣＫ（Ｒｅａｌ  ｔｉｍｅ  Ｄａｔａ  Ｉｎｆｏｒｍａｔｉｏｎ  Ｐａｃｋ）に替えて、ＶＯＢＵ＿１ＳＴＲＥＦ＿ＥＡ、ＶＯＢＵ＿２ＮＤＲＥＦ＿ＥＡ、ＶＯＢＵ＿３ＲＤＲＥＦ＿ＥＡ、Ａ＿ＳＹＮＣＡをＮＶ＿ＰＣＫ（Ｎａｖｉｇａｔｉｏｎ  Ｐａｃｋ）における該当位置に格納するとともに、ＮＶ＿ＰＣＫに存在してＲＤＩ＿ＰＣＫに存在しないデータ領域をリザーブドとしたＲＤＩ／ＤＳＩパックを記録するため、ＤＶＤ−ＶＲフォーマットに準拠した映像データからＤＶＤ−Ｖｉｄｅｏフォーマットに準拠した映像に変換する際にＮＶ＿ＰＣＫ内のデータの一部を算出するだけでＮＶ＿ＰＣＫを生成することができ、フォーマット変換に必要な処理量が低減するため、ダビングを高速化することができる。
【特許文献１】特開２００５−１４１７８８号公報
【発明の開示】
【発明が解決しようとする課題】
【０００４】
しかし、従来の映像処理装置によると、記憶部に映像データを記録する際にＲＤＩ／ＤＳＩパックを生成する必要があるため、ＲＤＩ／ＤＳＩパックを有さない映像データをＤＶＤ−Ｖｉｄｅｏフォーマットに準拠した映像データに変換する際はＮＶ＿ＰＣＫをすべて生成する必要がありダビングを高速化できないという問題がある。
【０００５】
従って、本発明の目的は、特別な映像データを用意することなく映像データのフォーマット変換を高速化する映像処理装置及び映像処理方法を提供することにある。
【課題を解決するための手段】
【０００６】
（１）本発明は上記目的を達成するため、変換前映像データを格納するメモリと、データを読み書き可能に格納する記憶部と、前記メモリの前記変換前映像データから再生終了時刻を取得した後、前記変換前映像データを単位映像データごとにストリームデータ変換処理し、ダミーデータを含む疑似管理情報を挿入して変換済映像データを生成して前記記憶部に書き込むとともに、前記変換済映像データの再生時刻情報を示すタイムマップを生成して前記記憶部に書き込んで、書き込まれた前記再生終了時刻と前記タイムマップに基づいて管理情報を生成し、前記変換済映像データの前記疑似管理情報を前記管理情報で上書きする制御部とを有することを特徴とする映像処理装置を提供する。
【０００７】
上記した構成によれば、ストリームデータ変換処理と管理情報の算出を同時に実行するため、映像データのフォーマット変換処理に要する時間を短縮できる。
【０００８】
（２）また、本発明は、上記目的を達成するため、変換前映像データの末尾部分から再生終了時刻を取得する終了時刻取得ステップと、前記変換前映像データを単位映像データごとに順次ストリームデータ変換処理して変換済単位映像データを生成する変換済単位映像データ生成ステップと、前記変換済単位映像データをダミーデータを含む疑似管理情報を挿入しながら記憶部に書き込むストリームデータ変換処理ステップと、前記変換済単位映像データの再生時刻情報を示すタイムマップを作成するタイムマップ作成ステップと、前記終了時刻及び前記タイムマップに基づいて管理情報を生成する管理情報生成ステップと、前記管理情報で前記記憶部に書き込まれた前記疑似管理情報を上書きする管理情報設定ステップとを有することを特徴とする映像処理方法を提供する。
【０００９】
上記した方法によれば、（１）と同様の効果を達成できる。
【発明の効果】
【００１０】
本発明によれば、特別な映像データを用意することなく映像データのフォーマット変換を高速化することができる。
【発明を実施するための最良の形態】
【００１１】
以下に、本発明の映像処理装置の実施の形態を、図面を参照して詳細に説明する。
【００１２】
〔実施の形態〕
（映像処理装置の構成）
図１は、本発明の実施の形態に係る映像処理装置を示す斜視図である。
【００１３】
映像処理装置１は、映像記録装置２とＵＳＢ（Ｕｎｉｖｅｒｓａｌ  Ｓｅｒｉａｌ  Ｂｕｓ）ケーブル２Ａによって接続されて互いに通信し、映像記録装置２によって撮影された映像情報を受信して、例えば、光学メディア３に記録することが可能である。なお、映像処理装置１は、光学メディア３に映像情報を記録する際に、映像記録装置２から受信した映像情報を光学メディア３に対応したＤＶＤ−Ｖｉｄｅｏフォーマットに変換して記録する。
【００１４】
映像処理装置１は、上部筐体１Ａと下部筐体１Ｂから構成され、上部筐体１Ａが下部筐体１Ｂに対してヒンジにより開閉自在に接続されている。上部筐体１Ａは、文字や画像等を表示する液晶表示パネル等からなる表示部１６を有する。下部筐体１Ｂは、ＣＰＵ（Ｃｅｎｔｒａｌ  Ｐｒｏｃｅｓｓｉｎｇ  Ｕｎｉｔ）やＨＤＤ（Ｈａｒｄ  Ｄｉｓｃ  Ｄｒｉｖｅ）等の電子部品を内部に収容しており、ＤＶＤ（Ｄｉｇｉｔａｌ  Ｖｅｒｓａｔｉｌｅ  Ｄｉｓｃ）等の記録媒体である光学メディア３に対する読み出しおよび書き込みが可能な光学メディアドライブ１４と、ＵＳＢケーブル２Ａを介して外部機器と接続されるＵＳＢ端子１０と、文字やコマンドを入力するためのキーボードとポインティングデバイスとからなる操作部１５を上面に有する。
【００１５】
映像記録装置２は、複数のレンズ群よりなる光学系とＣＣＤ（Ｃｈａｒｇｅ  Ｃｏｕｐｌｅｄ  Ｄｅｖｉｃｅ）等の撮像素子とから構成される撮像部２１と、ＵＳＢケーブル２Ａを介して外部機器と接続されるＵＳＢ端子２２とを有し、本体内部に設けられた記憶部に撮影により得られた映像データを記録する。映像データは、変換前映像データであり、ＭＰＥＧ−２等のフォーマットに準拠して記録される。
【００１６】
図２は、本発明の実施の形態に係る映像処理装置の構成を示すブロック図である。
【００１７】
映像処理装置１は、挿入されたＵＳＢケーブル２Ａを介して映像記録装置２との間でデータを送受信するＵＳＢ端子１０と、情報を一時的に記憶して各部の処理を補助するメモリ１１と、情報を読み書き可能に格納するＨＤＤ等の記憶部１２と、各部の動作を制御するとともにプログラムを動作させる制御部１３と、ＤＶＤ等の光学メディアに対して情報の読み出しおよび書き込み可能な光学メディアドライブ１４と、それぞれ操作機能を割り当てられた複数のスイッチ群より構成されたキーボードおよびトラックパッドを含む操作部１５と、ＬＣＤ（Ｌｉｑｕｉｄ  Ｃｒｙｓｔａｌ  Ｄｉｓｐｌａｙ）等の液晶表示パネル上に文字や画像を表示する表示部１６とを有する。
【００１８】
ＵＳＢ端子１０は、接続された映像記録装置２の記憶部に格納された変換前映像データ２０を受信する。
【００１９】
メモリ１１は、ＵＳＢ端子１０が受信した変換前映像データ２０を変換中映像データ１１０として一時的に格納する。
【００２０】
記憶部１２は、変換前映像データ２０がフォーマット変換されて生成された変換済映像データ１２０を格納する。
【００２１】
制御部１３は、変換中映像データ１１０をフォーマット変換して生成した変換済映像データ１２０を記憶部１２に格納する映像変換プログラム１３０と、変換済映像データ１２０を光学メディア３に書き込んで書き込みが完了した変換済映像データ１２０を削除する映像データ書込プログラム１３１を動作させる。
【００２２】
光学メディアドライブ１４は、挿入された光学メディア３に対して変換済映像データ１２０を映像データ３０として書き込む。
【００２３】
図３は、本発明の実施の形態に係る映像データを示す概略図であり、（ａ）は、変換前映像データであり、（ｂ）は、映像データである。
【００２４】
変換前映像データ２０は、例えば、ＭＰＥＧ−２等のフォーマットに準拠した映像データであり、図３（ａ）に示すように、映像を表示するためのストリームデータ２０Ａと、映像の詳細を示す管理情報２０Ｂとを有する。ストリームデータ２０Ａは、複数個のＧＯＰ（Ｇｒｏｕｐ  Ｏｆ  Ｐｉｃｔｕｒｅ）からなる。ここで、ＧＯＰとは、基準となるＩフレームと、Ｉフレームとの差分からなるＰフレームと、前後のフレームとの差分からなるＢフレームとを複数有する単位映像データである。また、管理情報２０Ｂは、変換前映像データ２０のヘッダ情報、メタデータ等の情報を含む。
【００２５】
映像データ３０は、例えば、ＤＶＤ−Ｖｉｄｅｏフォーマットの規格に準拠した映像データであり、図３（ｂ）に示すように、映像を表示するためのストリームデータ３０Ａと、映像の詳細を示す管理情報３０Ｂとを有する。ストリームデータ３０Ａは、複数のＶＯＢＵ（Ｖｉｄｅｏ  Ｏｂｊｅｃｔ  Ｕｎｉｔ）からなり、各ＶＯＢＵは、０．４〜１．０ｓｅｃの再生時間を有し、その先頭にＮＶ＿ＰＣＫを有し、続いて複数のＧＯＰを有する。
【００２６】
ストリームデータ３０Ａ内の管理情報としてのＮＶ＿ＰＣＫは、再生表示に関する制御情報やアクセスに関する制御情報を有し、データとしてＰａｃｋ  Ｈｅａｄｅｒ、Ｓｙｓｔｅｍ  Ｈｅａｄｅｒ、ＧＣＩ−ＰＫＴ、ＰＣＩ＿ＰＫＴ、ＤＳＩ＿ＰＫＴを有する。ＤＳＩ＿ＰＫＴ（Ｄａｔａ  Ｓｅａｒｃｈ  Ｉｎｆｏｒｍａｔｉｏｎ  Ｐａｃｋｅｔ）は、ＶＯＢの再生終了時刻を示すＶＯＢ＿Ｖ＿Ｅ＿ＰＴＭと、ＮＶ＿ＰＣＫが含まれるＶＯＢＵの前後１２０秒間のＶＯＢＵのアドレスを示すＶＯＢＵ＿ＳＲＩとを含む。
【００２７】
管理情報３０Ｂは、映像データ３０のヘッダ情報、メタデータ等の情報に加え、ストリームデータ３０Ａの再生時刻であるタイムマップ３００を有する。
【００２８】
なお、映像データ３０は、変換済映像データ１２０を光学メディア３に書き込んだものである。そのため、変換済映像データ１２０は、映像データ３０と同一の構成を有しており、変換済映像データ１２０のストリームデータ１２０Ａは、ストリームデータ３０Ａと、管理情報１２０Ｂは管理情報３０Ｂと同一の構成を有する。
【００２９】
（動作）
以下に、本発明の実施の形態における映像処理装置の動作を各図を参照しつつ説明する。
【００３０】
映像変換プログラム１３０は、まず、ストリームデータ２０Ａをメモリ１１に読み込むメモリ読込ステップと、読み込んだストリームデータ２０ＡをＧＯＰ単位でストリーム変換してストリームデータ１２０Ａの各ＶＯＢＵ内にＧＯＰを生成するストリームデータ変換処理ステップと、各ＶＯＢＵ内の先頭にＮＶ＿ＰＣＫを生成するＮＶ＿ＰＣＫ生成ステップ、及びＮＶ＿ＰＣＫを設定するＮＶ＿ＰＣＫ設定ステップとを実行する。従来、ストリームデータ変換処理ステップの完了後にＮＶ＿ＰＣＫ生成ステップ及びＮＶ＿ＰＣＫ設定ステップを実行していたのに対し、本発明においては、ストリームデータ変換処理ステップ、ＮＶ＿ＰＣＫ生成ステップ、及びＮＶ＿ＰＣＫ設定ステップを同時に実行する。
【００３１】
ただし、ＤＳＩ＿ＰＫＴに含まれるデータのうち、ＶＯＢの再生終了時刻を示すＶＯＢ＿Ｖ＿Ｅ＿ＰＴＭは、ストリームデータ２０Ａの最後のＧＯＰを読み込んで再生時刻を取得するまでは得られない。また、ＤＳＩ＿ＰＫＴに含まれるデータのうち、ＮＶ＿ＰＣＫが含まれるＶＯＢＵの前後１２０秒間のＶＯＢＵのアドレスを示すＶＯＢＵ＿ＳＲＩは、ＮＶ＿ＰＣＫが含まれるＶＯＢＵの１２０秒後に相当するストリームデータ２０Ａをストリームデータ変換処理してストリームデータ１２０ＡのＶＯＢＵのアドレスが確定するまでは得られない。
【００３２】
図４は、本発明の実施の形態に係る映像処理装置の映像処理動作例を示す概略図である。
【００３３】
まず、映像変換プログラム１３０は、ストリームデータ変換ステップとＮＶ＿ＰＣＫ生成ステップとを実行する前に、ＶＯＢ＿Ｖ＿Ｅ＿ＰＴＭを設定するための情報を取得する。映像変換プログラム１３０は、変換前映像データ２０の最後のＧＯＰであるＧＯＰ＃ｍをメモリ１１上に変換中映像データ１１０として読み込む。次に、ＧＯＰ＃ｍをフレームごとに展開することで再生時刻を取得して、再生終了時刻であるＶＯＢ＿Ｖ＿Ｅ＿ＰＴＭを取得する。
【００３４】
図５は、本発明の実施の形態に係る映像処理装置の映像処理動作例を示す概略図であり、（ａ）は、通常の映像処理動作であり、（ｂ）は、再生終了時刻付近における映像処理動作である。
【００３５】
映像変換プログラム１３０は、図４に示す再生終了時刻の取得を完了すると、ストリームデータ変換ステップと同時にＮＶ＿ＰＣＫ生成ステップを開始する。ただし、ＮＶ＿ＰＣＫのＶＯＢＵ＿ＳＲＩは、図５（ａ）に示すように、前後１２０秒分のＶＯＢＵのアドレスが必要であるため、ストリーム変換のステップと並行してダミーのＶＯＢＵ＿ＳＲＩを設定して一旦、記憶部１２に変換済映像データ１２０としてストリームデータ１２０Ａを書き込み、１２０秒後のストリーム変換が完了した時点で正しいＶＯＢＵ＿ＳＲＩを算出し、ＮＶ＿ＰＣＫの設定をやり直してストリームデータ１２０Ａを上書きするＮＶ＿ＰＣＫ設定ステップを実行する。
【００３６】
ＶＯＢＵ＿ＳＲＩは、０．５秒単位のアドレスを有し、１２０秒前、６０秒前、３０秒前、１０秒前、７．５〜０．５秒前（ＢＷＤ２４０、１２０、６０、２０、１５〜１）、及び０．５〜７．５秒後、１０秒後、３０秒後、６０秒後、１２０秒後（ＦＷＤ１〜１５、２０、６０、１２０、２４０）に該当するＶＯＢＵのタイムマップ３００上のアドレスを有する。
【００３７】
また、映像変換プログラム１３０は、図５（ｂ）に示すように、再生終了時刻から１２０秒以内にさしかかると、再生終了時刻以降のアドレス、ＦＷＤ６０、１２０、２４０に該当するアドレスに対してアドレスが存在しないことを示す無効値を設定してＮＶ＿ＰＣＫを生成する。
【００３８】
図６は、本発明の実施の形態に係る映像処理装置の映像処理動作例を示す概略図であり、（ａ）は、変換前映像データを示し、（ｂ）は、変換済映像データを示す。
【００３９】
まず、図６（ａ）に示すように、映像変換プログラム１３０は、ストリームデータ２０Ａを所定のデータ容量ずつメモリ１１に読み込み、先頭のＧＯＰから順次ストリーム変換処理を行う。次に、図６（ｂ）に示すように、ストリームデータ変換処理と同時にＮＶ＿ＰＣＫを生成してストリームデータ１２０Ａの各ＶＯＢＵの先頭に挿入するが、１２０秒後のストリーム変換が完了していないため、最初はＤＳＩのＶＯＢＵ＿ＳＲＩにダミーデータ、例えば、「０」を挿入してストリームデータ１２０Ａを書き込む。
【００４０】
次に、１２０秒後のストリームデータ２０Ａがストリームデータ１２０Ａに変換されると、ＤＳＩのＶＯＢＵ＿ＳＲＩを算出してＮＶ＿ＰＣＫのＤＳＩを上書きする。つまり、ストリーム変換処理済の再生時刻から１２０秒前のＮＶ＿ＰＣＫまでＤＳＩが設定済となり、ＮＶ＿ＰＣＫが上書きされる。
【００４１】
ＮＶ＿ＰＣＫのＤＳＩが設定済みのＶＯＢＵは、変換済映像データ１２０の一部として完成しているため、映像データ書込プログラム１３１は、順次光学メディアにストリームデータ３０Ａの一部として書き込んで、書き込み済みのデータを記憶部１２のストリームデータ１２０Ａから削除する。
【００４２】
図７は、本発明の実施の形態に係る映像処理装置の動作例を示すフローチャートである。
【００４３】
まず、映像変換プログラム１３０は、変換前映像データ２０の末尾１ＧＯＰ分をメモリ１１に変換中映像データ１１０として読み込む（Ｓ１）。次に、メモリ１１の変換中映像データ１１０をフレームごとに展開することで再生終了時刻であるＶＯＢ＿Ｖ＿Ｅ＿ＰＴＭを取得する（Ｓ２）。
【００４４】
次に、映像変換プログラム１３０は、メモリ読込ステップとして、変換前映像データ２０を所定のデータ容量ずつメモリ１１に読み込む（Ｓ３）。変換済映像データ１２０としてＶＯＢＵごとにＮＶ＿ＰＣＫを挿入する（Ｓ４）。この際、ＤＳＩのＶＯＢＵ＿ＳＲＩにダミーデータを設定する。
【００４５】
次に、映像変換プログラム１３０は、ストリーム変換ステップとして、変換前映像データ２０を１ＧＯＰずつストリーム変換処理する（Ｓ５）。ＮＶ＿ＰＡＣＫ及び１ＶＯＢＵ分ストリーム変換処理されたデータは、記憶部１２に変換済映像データ１２０のストリームデータ１２０Ａとして書き込まれる。また、処理済みのストリームデータ１２０Ａから再生時間を取得し、管理情報１２０Ｂにタイムマップを作成する（Ｓ７）。
【００４６】
なお、ステップＳ３〜Ｓ７は、所定の数のＶＯＢＵごとに繰り返し処理を行うものとする。
【００４７】
次に、映像変換プログラム１３０は、ＮＶ＿ＰＣＫ設定ステップに移行し、まず、ストリームデータ変換が処理しようとしているＮＶ＿ＰＣＫの１２０秒後まで進行しているか否かをタイムマップを参照して確認し、１２０秒後まで進行していない場合は（Ｓ８；Ｎｏ）、Ａに戻る。また、１２０秒後まで進行している場合は（Ｓ８；Ｙｅｓ）、１２０秒前及び１２０秒後までのＶＯＢＵのアドレスを取得してＤＳＩデータのＶＯＢＵ＿ＳＲＩを算出し（Ｓ９）、記憶部１２にダミーデータを用いて書き込まれたＮＶ＿ＰＣＫのＤＳＩデータを上書きする（Ｓ１０）。
【００４８】
なお、ステップＳ８〜Ｓ１０は、各ＶＯＢＵごとに繰り返し処理を行うものとする。
【００４９】
次に、ステップＳ１０においてＤＳＩデータが上書きされたＶＯＢＵは、変換済映像データとして完成しているため、映像データ書込プログラム１３１は、完成したＶＯＢＵごとに光学メディア３にデータを書き込み（Ｓ１１）、光学メディア３に書き込み済みのデータを記憶部１２から削除する（Ｓ１２）。
【００５０】
なお、ステップＳ１１〜Ｓ１２は、各ＶＯＢＵごとに繰り返し処理を行うものとする。
【００５１】
（実施の形態の効果）
上記した実施の形態によると、従来、変換前映像データのストリームデータ変換処理を全て終えた後に実行していたＮＶ＿ＰＣＫの生成及び設定を、ストリームデータ変換処理と同時に実行するようにしたため、映像処理に要する時間が短縮される。
【００５２】
また、ＶＯＢＵごとに変換済映像データ１２０を光学メディア３に書き込んで、書き込み済みの変換済映像データ１２０を記憶部１２から削除するため、従来のように、変換済映像データ１２０全てを記憶部１２に書き込んでから光学メディア３に書き込む場合に比べて、記憶部１２の占有容量が減少する。本実施の形態において、記憶部１２の占有容量は、最小値で、変換済映像データ１２０の１２０秒分の容量となる。
【図面の簡単な説明】
【００５３】
【図１】本発明の実施の形態に係る映像処理装置を示す斜視図である。
【図２】本発明の実施の形態に係る映像処理装置の構成を示すブロック図である。
【図３】本発明の実施の形態に係る映像データを示す概略図であり、（ａ）は、変換前映像データであり、（ｂ）は、映像データである。
【図４】本発明の実施の形態に係る映像処理装置の映像処理動作例を示す概略図である。
【図５】本発明の実施の形態に係る映像処理装置の映像処理動作例を示す概略図であり、（ａ）は、通常の映像処理動作であり、（ｂ）は、再生終了時刻付近における映像処理動作である。
【図６】本発明の実施の形態に係る映像処理装置の映像処理動作例を示す概略図であり、（ａ）は、変換前映像データを示し、（ｂ）は、変換済映像データを示す。
【図７】本発明の実施の形態に係る映像処理装置の動作例を示すフローチャートである。
【符号の説明】
【００５４】
１…映像処理装置、１Ａ…上部筐体、１Ｂ…下部筐体、２…映像記録装置、２Ａ…ＵＳＢケーブル、３…光学メディア、１０…ＵＳＢ端子、１１…メモリ、１２…記憶部、１３…制御部、１４…光学メディアドライブ、１５…操作部、１６…表示部、２０…変換前映像データ、２０Ａ…ストリームデータ、２０Ｂ…管理情報、２１…撮像部、２２…ＵＳＢ端子、３０…映像データ、３０Ａ…ストリームデータ、３０Ｂ…管理情報、１１０…変換中映像データ、１２０…変換済映像データ、１２０Ａ…ストリームデータ、１２０Ｂ…管理情報、１３０…映像変換プログラム、１３１…映像データ書込プログラム、３００…タイムマップ
【要約】
【課題】特別な映像データを用意することなく映像データのフォーマット変換を高速化する映像処理装置を提供する。
【解決手段】映像処理装置は、変換前映像データを格納するメモリと、データを読み書き可能に格納する記憶部と、メモリの変換前映像データから再生終了時刻を取得した後、変換前映像データを単位映像データごとにストリームデータ変換処理し、ダミーデータを含む疑似管理情報を挿入して変換済映像データを生成して記憶部に書き込むとともに、変換済映像データの再生時刻情報を示すタイムマップを生成して記憶部に書き込んで、書き込まれた再生終了時刻とタイムマップに基づいて管理情報を生成し、変換済映像データの疑似管理情報を管理情報で上書きする制御部とを有する。
【選択図】図６【図１】
0004296221.tif 000002
【図２】
0004296221.tif 000003
【図３】
0004296221.tif 000004
【図４】
0004296221.tif 000005
【図５】
0004296221.tif 000006
【図６】
0004296221.tif 000007
【図７】
0004296221.tif 000008